(57)【要約】【課題】エアコンプレッサの運転情報を正確に確認する。【解決手段】エアコンプレッサは、エアコンプレッサの運転の開始に伴い（Ｓ１００）、モータの電流値等のエアコンプレッサの出力状態情報を取得して外部端末に送信する（Ｓ１２０．Ｓ１３０）。外部端末は、ユーザーの選択操作に基づいてアプリケーションを起動し（Ｓ１１０）、エアコンプレッサから受信したエアコンプレッサの出力状態情報をメイン画面に表示し（Ｓ１４０）、ＭＴ設定画面においてＭＴモードのモータの回転数等の設定の変更を受け付ける（Ｓ１５０）。メイン画面でＭＴモードが選択されると（Ｓ１６０）、エアコンプレッサの運転モードを切り替えるモード切替情報を生成してコンプレッサに送信する（Ｓ１７０）。エアコンプレッサは、受信したモード切替情報に基づいて運転モードをＭＴモードに切り替えて運転する（Ｓ１８０）。【選択図】図７
2018168775.tif 000002
【特許請求の範囲】
【請求項１】
モータの駆動により圧縮空気を生成する圧縮機構と、
前記圧縮機構で生成される圧縮空気を貯めるタンクと、
前記圧縮機構を駆動させる制御部と、を備え、
前記制御部は、前記圧縮機構における駆動時の運転情報を取得し、当該取得した運転情報をコンプレッサ本体に設けられる表示部および外部端末の少なくとも一方に出力する
ことを特徴とするエアコンプレッサ。
【請求項２】
前記制御部は、前記運転情報に対応するパラメータの設定値に基づいて前記圧縮機構を駆動し、
前記設定値は変更可能とされたことを特徴とする請求項１に記載のエアコンプレッサ。
【請求項３】
前記圧縮機構の前記運転情報を前記外部端末に送信すると共に、前記運転情報に対応するパラメータの設定値を前記外部端末から受信する通信部と、
前記通信部によって受信された前記設定値に基づいて前記圧縮機構を駆動する制御部と、
を備えたことを特徴とする請求項２に記載のエアコンプレッサ。
【請求項４】
前記運転情報を表示する前記表示部と、前記運転情報に対応するパラメータの設定値を入力する操作部と、
を備えたことを特徴とする請求項１または２に記載のエアコンプレッサ。
【請求項５】
前記運転情報は、前記モータの電力、前記モータの回転数、前記モータの電流値、および前記圧縮機構から前記タンクへ吐出される圧縮空気の吐出量のうち少なくとも１つ以上を含む
ことを特徴とする請求項１から４の何れか一項に記載のエアコンプレッサ。
【請求項６】
圧縮空気を生成する圧縮機構と当該圧縮機構により生成された圧縮空気を貯めるタンクとを備えるエアコンプレッサとの間で無線通信を行う外部端末であって、
前記圧縮機構における駆動時の運転情報を前記エアコンプレッサから受信する通信部と、
前記通信部により受信された前記圧縮機構の前記運転情報を表示する表示部と、
を備えることを特徴とする外部端末。
【請求項７】
前記表示部に表示される前記圧縮機構の前記運転情報に対応するパラメータの設定値の変更情報を受け付ける操作部を備え、
前記通信部は、前記操作部で受け付けられた前記変更情報を前記エアコンプレッサに送信する
ことを特徴とする請求項６に記載の外部端末。
【発明の詳細な説明】
【技術分野】
【０００１】
本発明は、エアコンプレッサおよび外部端末に関する。
【背景技術】
【０００２】
建築現場等の作業現場においては、圧縮空気を駆動エネルギーとしたエアインパクトドライバや、釘打機、ねじ打機等の工具が広く使用されている。圧縮空気を工具に供給する機器としては、エアコンプレッサが知られている。エアコンプレッサは、モータの駆動により圧縮ピストンをシリンダ内で往復移動させることでシリンダ内に導入された空気を圧縮し、シリンダ内で圧縮した圧縮空気をタンク内に貯めるものである。
【０００３】
一般的なエアコンプレッサには、ユーザーが機械内の状態が分かるように、タンク内の圧力状態や運転モード等を表示するための表示装置が設けられている。表示装置の表示方式としては、例えば、アナログ表示や、ＬＥＤ表示、７セグメント表示等が採用されている。
【０００４】
特許文献１には、タンク内の圧力を検出する圧力検出手段と、圧力検出手段が検出したタンク内の圧力値を取得して圧力データを生成する圧力データ生成手段と、圧力データ生成手段が生成した圧力データを基に表示用の圧力値を生成する表示値生成手段と、表示値生成手段が生成した表示用の圧力値を表示する表示手段とを備えるエアコンプレッサが記載されている。
【先行技術文献】
【特許文献】
【０００５】
【特許文献１】特開２０１２−２５１４８７号公報
【発明の概要】
【発明が解決しようとする課題】
【０００６】
しかしながら、上記特許文献１に記載されるエアコンプレッサでは、タンク内の圧力値を表示手段に表示するのでタンク内の状態、つまり、タンク内に充填されている圧縮空気の量を把握できるが、エアコンプレッサがどの程度動作しているのか（どれ位の空気を生成できるのか）が分かりにくいという問題があった。
【０００７】
そこで、本発明は、上記課題に鑑みてなされたものであり、その目的は、エアコンプレッサの運転情報（動作状態）を正確に確認することができるエアコンプレッサおよび外部端末を提供することにある。
【課題を解決するための手段】
【０００８】
本発明に係るエアコンプレッサは、モータの駆動により圧縮空気を生成する圧縮機構と、前記圧縮機構で生成される圧縮空気を貯めるタンクと、前記圧縮機構を駆動させる制御部と、を備え、前記制御部は、前記圧縮機構における駆動時の運転情報を取得し、当該取得した運転情報をコンプレッサ本体に設けられる表示部および外部端末の少なくとも一方に出力するものである。
【０００９】
本発明に係る外部端末は、圧縮空気を生成する圧縮機構と当該圧縮機構により生成された圧縮空気を貯めるタンクとを備えるエアコンプレッサとの間で無線通信を行う外部端末であって、前記圧縮機構における駆動時の運転情報を前記エアコンプレッサから受信する通信部と、前記通信部により受信された前記圧縮機構の前記運転情報を表示する表示部と、を備えるものである。
【発明の効果】
【００１０】
本発明のエアコンプレッサによれば、制御部が取得した圧縮機構における駆動時の運転情報をコンプレッサ本体の表示部や外部端末に出力するので、ユーザーは圧縮機構の運転情報を一目で確認することができる。
【００１１】
本発明の外部端末によれば、表示部に圧縮機構の運転情報を表示するので、ユーザーは圧縮機構の運転情報を一目で確認することができる。また、運転情報に対応するパラメータの設定値をエアコンプレッサに送信するので、圧縮機構の運転情報に対応するパラメータを遠隔から操作できる。
【図面の簡単な説明】
【００１２】
【図１】本発明の一実施の形態に係るエアコンプレッサ制御システムの構成例を示す図である。
【図２】エアコンプレッサの機能構成例を示すブロック図である。
【図３】操作パネルの構成例を示す図である。
【図４】外部端末の機能構成例を示すブロック図である。
【図５】タッチパネルに表示されるメイン画面の構成例を示す図である。
【図６】タッチパネルに表示されるＭＴ設定画面の構成例を示す図である。
【図７】エアコンプレッサ制御システムの動作例を示すフローチャートである。
【発明を実施するための形態】
【００１３】
以下に添付図面を参照しながら、本発明の好適な実施の形態について詳細に説明する。なお、図面の寸法比率は、説明の都合上拡張されており、実際の比率と異なる場合がある。
【００１４】
［エアコンプレッサ制御システム３００の構成例］  
図１は、エアコンプレッサ制御システム３００の構成の一例を示している。図１に示すように、エアコンプレッサ制御システム３００は、エアコンプレッサ１００と、外部端末２００とを備えている。エアコンプレッサ１００と外部端末２００とは、双方向の無線通信を行うことができるように構成されている。無線方式としては、例えば、Ｂｌｕｅｔｏｏｔｈ（登録商標）などの近距離無線通信規格や、Ｗｉ−Ｆｉ（登録商標）などの無線ＬＡＮを利用することができる。
【００１５】
エアコンプレッサ１００は、建設現場等の例えば商用電源の近傍に配置される。エアコンプレッサ１００は、モータの駆動によりピストンをシリンダ内で往復移動させて圧縮した空気を生成する圧縮機構を有する本体（コンプレッサ本体）１０２と、圧縮機構により生成された圧縮空気を貯める２個のタンク１０４，１０４とを有している。本体１０２の前面部には、現在選択されている運転モードを表示したり、運転モードを切り替えたりするための操作パネル１６０が設けられている。なお、操作パネル１６０の詳細については後述する。
【００１６】
エアコンプレッサ１００には、エアーホースを介して釘打機やねじ打機等のエア工具が接続される。エア工具は、エアコンプレッサ１００から供給される圧縮空気を動力源として作動する。
【００１７】
外部端末２００は、作業現場においてユーザーが所持するものであり、エアコンプレッサ１００の出力状態を表示したり、エアコンプレッサ１００の運転モードの設定および切り替え等の遠隔操作を行ったりする機能を有している。これらのエアコンプレッサ１００に関する表示機能や各種設定を変更する機能は、専用のアプリケーション（ソフトウェア）として外部端末２００にインストールすることができる。外部端末２００としては、例えば、スマートフォンや、携帯電話、タブレット端末、スマートウォッチ、ウェアラブルコンピュータ、パーソナルコンピュータ等を用いることができる。
【００１８】
［エアコンプレッサ１００のブロック図］  
図２は、エアコンプレッサ１００の機能構成の一例を示すブロック図である。図２に示すように、エアコンプレッサ１００は、本体側制御基板１０６と、パネル側制御基板１０８と、圧力検出部１９０とを備えている。
【００１９】
本体側制御基板１０６は、本体１０２の内部に配置され、本体１０２の駆動を制御する。本体側制御基板１０６には、電源部１１０、駆動部１１２、モータ１２０、モータ回転数検出部１２２、電圧検出部１３０、電流検出部１４０および制御部１５０のそれぞれが配置されている。
【００２０】
電源部１１０は、商用電源にコードを介して接続される。電源部１１０は、整流回路を有し、商用電源から供給される交流電力を直流電力に変換し、変換した直流電流を駆動部１１２や制御部１５０等に供給する。
【００２１】
駆動部１１２は、ＭＯＳＦＥＴ等の複数のスイッチング素子を有するインバータ回路により構成され、制御部１５０から供給される制御信号に基づいてオン／オフ動作することで直流電力を駆動電力に変換し、変換した駆動電力をモータ１２０に供給する。
【００２２】
モータ１２０は、例えば三相交流ブラシレスモータにより構成され、駆動部１１２から供給される駆動電力に基づいて駆動してシリンダのピストンを往復移動させることで圧縮空気を生成する。
【００２３】
モータ回転数検出部１２２は、例えばモータ１２０の回転軸に取り付けられるエンコーダにより構成されている。モータ回転数検出部１２２は、モータ１２０の回転数を検出し、検出した回転数情報を制御部１５０に供給する。
【００２４】
電圧検出部１３０は、商用電源の電圧を検出し、検出した電圧情報を制御部１５０に供給する。電流検出部１４０は、モータ１２０の駆動電流を検出し、検出した電流情報を制御部１５０に供給する。
【００２５】
制御部１５０は、ＣＰＵ(Central Processing Unit)やＲＯＭ(Read Only Memory)等を含み、各プログラムを実行することによりエアコンプレッサ１００の全体の動作を制御する。制御部１５０は、操作パネル１６０や外部端末２００で設定された各運転モードを実行する。運転モードとしては、例えば、パワーモードや、ＡＩモード、静音モード、マニュアルモード（以下、ＭＴモードという）が挙げられる。
【００２６】
パワーモードは、モータ１２０の回転数を上げて圧縮機構で生成される圧縮空気の吐出量を増加させるモードである。ＡＩモードは、エアの消費量等に応じてタンク１０４内の圧力のオン圧、オフ圧、および運転時のモータ１２０の電流値を自動で変動させるモードである。ここで、オン圧とはモータ１２０（圧縮機構）の駆動を開始させる際のタンク１０４内の圧力値であり、オフ圧とはモータ１２０の駆動を停止させる際のタンク１０４内の圧力値である。静音モードは、運転時のモータ１２０の回転数を低減させることによって運転時に発生する音を抑制するモードである。マニュアルモードは、ユーザーが使用環境や使用状況、好みに応じてモータ１２０の回転数、オン圧／オフ圧等の運転条件を手動で設定するモードである。
【００２７】
パネル側制御基板１０８は、本体１０２のカバー部材に取り付けられ、後述する操作部１６２や表示部１６４を制御する。パネル側制御基板１０８には、操作・表示用制御部１５２、操作パネル１６０および通信部１９２のそれぞれが配置されている。
【００２８】
操作・表示用制御部１５２は、ＣＰＵやＲＯＭ等を含み、各プログラムを実行することにより操作パネル１６０および通信部１９２の動作を制御する。操作・表示用制御部１５２は、本体側制御基板１０６の制御部１５０とは信号線１５４を介して接続されており、制御部１５０と連動してエアコンプレッサ１００の制御を実行する。
【００２９】
操作パネル１６０は、操作部１６２と表示部１６４とを有している。操作部１６２は、複数のボタンを含み、ユーザーにより押圧操作されたボタンに対応する操作信号を操作・表示用制御部１５２に供給する。表示部１６４は、操作・表示用制御部１５２から供給される表示信号に基づいてタンク１０４内の圧力値等を表示する。なお、操作パネル１６０の詳細については後述する。
【００３０】
通信部１９２は、例えばＢｌｕｅｔｏｏｔｈ（登録商標）モジュール等から構成され、外部端末２００との間でエアコンプレッサ１００の出力状態やモード設定に関する情報の双方向無線通信を行う。
【００３１】
圧力検出部１９０は、タンク１０４内に設置され、パネル側制御基板１０８の操作・表示用制御部１５２に接続されている。圧力検出部１９０は、タンク１０４内に貯められた圧縮空気の圧力を検出し、検出した圧力情報を操作・表示用制御部１５２に供給する。
【００３２】
［操作パネル１６０の構成例］  
図３は、操作パネル１６０の構成の一例を示している。図３に示すように、操作パネル１６０には、タンク１０４内の圧力を表示するための圧力表示部１６６が設けられている。圧力表示部１６６は、例えば、７セグメントディスプレイにより構成されている。
【００３３】
圧力表示部１６６の下方側には、パワーモードが選択されている場合に点灯するパワーモード用ＬＥＤ１６８と、ＡＩモードが選択されている場合に点灯するＡＩモード用ＬＥＤ１７０と、静音モードが選択されている場合に点灯する静音モード用ＬＥＤ１７２と、ＭＴモードが選択されている場合に点灯するＭＴモード用ＬＥＤ１７４とが設けられている。
【００３４】
ＭＴモード用ＬＥＤ１７４の下方側には、エアコンプレッサ１００の運転モードを切り替えるためのモード切替ボタン１７６が設けられている。モード切替ボタン１７６の隣接する左側の位置には、エアコンプレッサ１００の電源をオン／オフするための電源ボタン１７８が設けられている。
【００３５】
圧力表示部１６６の上側には、タッチパネル１８０が設けられている。タッチパネル１８０の画面の左側には、モータ１２０の駆動時の電流値を表示するための電流表示部１８２が設けられている。なお、エアコンプレッサ１００の圧縮機構における駆動時の運転情報としては、上述した電流値以外にも、例えば、エアコンプレッサ１００内の温度、モータ１２０の駆動時の回転数から推定される圧縮エアの吐出量（圧縮機構からタンク１０４内へのエアの流入量）や、モータ１２０の駆動時の電力（電流×電圧）等を表示することができる。また、エアコンプレッサ１００の運転動作（仕事量）の余裕度をモータ１２０の電力値等に基づいて％表示するようにしても良い。
【００３６】
タッチパネル１８０の画面の右側には、モータ１２０の駆動時の回転数（パラメータ）の設定値を設定するための回転数設定ボタン１８４が表示される。モータ１２０の回転数は、回転数設定ボタン１８４をモータ１２０の回転数を示すバー１８５に沿って移動させることにより任意の値を設定できる。例えば、１６００ｒｐｍ〜３０００ｒｐｍの範囲で設定できる。なお、モータ１２０の回転数は、操作パネル１６０に設けた図示しない数字キーを操作することで直接入力するようにしても良い。
【００３７】
また、タッチパネル１８０の画面の右側であって回転数設定ボタン１８４の下側には、モータ１２０をオンさせるオン圧（パラメータ）の設定値を設定するためのオン圧設定ボタン１８６ａと、モータ１２０をオフさせるオフ圧（パラメータ）の設定値を設定するためのオフ圧設定ボタン１８６ｂとが表示される。オン圧およびオフ圧は、オン圧設定ボタン１８６ａおよびオフ圧設定ボタン１８６ｂを圧力を示すバー１８７に沿って移動させることにより任意の値を設定できる。例えば、１．５〜４．４ＭＰａの範囲で設定できる。本実施の形態では、これらのパラメータの設定値を変更することにより、エアコンプレッサ１００のモータ１２０等の駆動制御を行うことができるようになっている。
【００３８】
なお、エアコンプレッサ１００の圧縮機構の運転情報に対応するパラメータとしては、モータ１２０の回転数やモータ１２０のオン圧、オフ圧以外にも、商用電源の電圧値、モータ１２０の駆動時の電流値、モータ１２０の駆動時の電力（電流×電圧）、エアコンプレッサ１００内の温度、モータ１２０の駆動時の回転数から推定される圧縮エアの吐出量、エアコンプレッサ１００の運転動作の余裕度等が挙げられる。
【００３９】
なお、圧力表示部１６６、パワーモード用ＬＥＤ１６８、ＡＩモード用ＬＥＤ１７０、静音モード用ＬＥＤ１７２、ＭＴモード用ＬＥＤ１７４および電流表示部２５０は、表示部１６４の一例を構成している。また、モード切替ボタン１７６、電源ボタン１７８、回転数設定ボタン１８４、オン圧設定ボタン１８６ａおよびオフ圧設定ボタン１８６ｂは、操作部１６２の一例を構成している。
【００４０】
［外部端末２００のブロック図］  
図４は、外部端末２００の機能構成の一例を示すブロック図である。図４に示すように、外部端末２００の制御部２１０は、ＣＰＵやＲＯＭ等を含み、各種プログラムを実行することにより外部端末２００の全体の動作を制御する。制御部２１０には、電源部２２０と、記憶部２３０と、タッチパネル２４０と、通信部２８０とがそれぞれ接続されている。
【００４１】
電源部２２０は、例えば充電式バッテリから構成され、外部端末２００の駆動に必要な電力を制御部２１０等に供給する。
【００４２】
記憶部２３０は、制御部２１０で実行されるコンピュータプログラムおよび各種のデータを記憶したり、ユーザーにより設定されたＭＴモードの各設定情報を記憶したりする。ＭＴモードの情報には、例えば、モータ１２０の回転数やオン圧、オフ圧が含まれている。記憶部２３０としては、例えば、ハードディスク装置、フラッシュメモリ等の不揮発性のメモリ、ＤＲＡＭ（Dynamic Random Access Memory）等の揮発性のメモリ等を用いることができる。
【００４３】
タッチパネル２４０は、位置入力としての操作部２４２と、液晶ディスプレイや有機ＥＬディスプレイ等からなる表示部２４４とを有している。操作部２４２は、ユーザーにより入力されるＭＴモードの運転条件の設定等の入力情報を受け付け、受け付けた入力情報を制御部２１０に供給する。なお、操作部２４２としては、タッチ入力装置以外にも、キーボードやテンキー、マウス等を用いることができる。表示部２４４は、エアコンプレッサ１００から送信されるエアコンプレッサ１００に関する状態、例えばモータ１２０の駆動時の電流値、エアコンプレッサ１００の温度、タンク１０４内の圧力値等を表示したり、パワーモード等の各種モードを選択するためのボタンを表示したりする。これにより、エアコンプレッサ１００のタッチパネル１８０で表示される内容と同一の表示内容が外部端末２００にも表示される。また、エアコンプレッサ１００のタッチパネル１８０で設定、変更されたＭＴモードの運転条件、例えばモータ１２０の駆動時の回転数やオン圧、オフ圧を表示するようにしても良い。
【００４４】
通信部２８０は、Ｂｌｕｅｔｏｏｔｈ（登録商標）モジュールや、赤外線通信等の近距離通信システムから構成され、エアコンプレッサ１００との間でエアコンプレッサ１００の出力状態やモード設定に関する情報の双方向無線通信を行う。
【００４５】
［タッチパネル２４０の構成例］  
図５は、タッチパネル２４０に表示されるメイン画面の構成の一例を示している。図５に示すように、タッチパネル２４０のメイン画面の上側には、商用電源の電圧値を表示するための電圧表示部２４６と、タンク１０４内の圧力値を表示するための圧力表示部２４８と、モータ１２０の駆動時の電流値を表示するための電流表示部２５０と、エアコンプレッサ１００内の温度を表示するための温度表示部２５２とが表示される。温度表示は、例えば、模式的に示したエアコンプレッサ１００の図形が温度に応じて５段階の色で変化して表示されるようにしても良い。各電圧表示部２４６、圧力表示部２４８、電流表示部２５０、温度表示部２５２には、現在選択されている運転モードの情報が表示される。
【００４６】
なお、エアコンプレッサ１００の圧縮機構における駆動時の運転情報としては、これら以外にも、例えば、モータ１２０の駆動時の回転数から推定される圧縮エアの吐出量や、モータ１２０の駆動時の電力（電流×電圧）等を表示することができる。また、エアコンプレッサ１００の運転動作（仕事量）の余裕度をモータ１２０の電力値等に基づいて％表示するようにしても良い。さらに、タンク１０４内の圧力が基準値を低下した場合に、警告表示する表示項目を別途設けても良い。警告の方式は、タッチパネル２４０への文字等の表示の他に、音声やブザー音でも良いし、バイブ機能による振動を用いたものであっても良い。
【００４７】
タッチパネル２４０のメイン画面の中央部には、パワーモードを選択するためのパワーモードボタン２５４と、ＡＩモードを選択するためのＡＩモードボタン２５６と、静音モードを選択するための静音モードボタン２５８と、ＭＴモードを選択するためのＭＴモードボタン２６０とが表示される。例えば、パワーモードが選択されている場合、パワーモードボタン２５４の色が他のボタンとは異なる色で表示される。
【００４８】
タッチパネル２４０のメイン画面の下側には、エアコンプレッサ１００の電源をオン／オフするための電源ボタン２６２と、盗難防止用のセキュリティモードを選択するためのセキュリティボタン２６４と、ＭＴモードの各種情報を設定するためのＭＴ設定ボタン２６６とが表示される。
【００４９】
図６は、タッチパネル２４０に表示されるＭＴ設定画面の構成の一例を示している。図５に示したタッチパネル２４０のメイン画面のＭＴ設定ボタン２６６がユーザーにより選択されると、図６に示すように、メイン画面がＭＴ設定画面に切り替わる。
【００５０】
ＭＴ設定画面の上側には、モータ１２０の回転数（パラメータ）の設定値を設定するための回転数設定ボタン２７０が表示される。モータ１２０の回転数は、回転数設定ボタン２７０をモータ１２０の回転数を示すバー２７１に沿って移動させることにより任意の値を設定できる。例えば、１６００ｒｐｍ〜３０００ｒｐｍの範囲で設定できる。なお、モータ１２０の回転数は、回転数設定ボタン２７０からの入力以外に、ＭＴ設定画面上に表示させた数字キーを操作することで直接入力するようにしても良い。
【００５１】
ＭＴ設定画面の中央側には、モータ１２０をオンさせるオン圧（パラメータ）の設定値を設定するためのオン圧設定ボタン２７２ａと、モータ１２０をオフさせるオフ圧（パラメータ）の設定値を設定するためのオフ圧設定ボタン２７２ｂとが表示される。オン圧およびオフ圧は、オン圧設定ボタン２７２ａおよびオフ圧設定ボタン２７２ｂを圧力を示すバー２７３に沿って移動させることにより任意の値を設定できる。例えば、１．５〜４．４ＭＰａの範囲で設定できる。本実施の形態では、これらのパラメータの設定値を変更することにより、エアコンプレッサ１００のモータ１２０等の駆動制御を遠隔地からでも行うことができるように構成されている。
【００５２】
なお、エアコンプレッサ１００の圧縮機構の運転情報に対応するパラメータとしては、モータ１２０の回転数やモータ１２０のオン圧、オフ圧以外にも、商用電源の電圧値、モータ１２０の駆動時の電流値、モータ１２０の駆動時の電力（電流×電圧）、エアコンプレッサ１００内の温度、モータ１２０の駆動時の回転数から推定される圧縮エアの吐出量、エアコンプレッサ１００の運転動作の余裕度等が挙げられる。
【００５３】
ＭＴ設定画面の下側には、設定したモータ１２０の回転数、オン圧、オフ圧をユーザー固有のＭＴモードとして保存するための保存ボタン２７４と、保存したＭＴモードを初期化するための初期化ボタン２７６と、ＭＴ設定画面からメイン画面に戻るためのメイン画面ボタン２７８とがそれぞれ表示される。なお、ＭＴモードは、１ユーザーが複数のモードを設定・保存して、作業に合わせたモードを選択・実行することもできるし、複数のユーザー単位毎で設定することもできる。また、初期化ボタン２７６が選択された場合には、初期化処理を実行して良いかを再度確認するための画面を表示することが好ましい。
【００５４】
なお、電圧表示部２４６、圧力表示部２４８、電流表示部２５０および温度表示部２５２は、表示部２４４の一例を構成している。また、また、パワーモードボタン２５４、ＡＩモードボタン２５６、静音モードボタン２５８、ＭＴモードボタン２６０、電源ボタン２６２、セキュリティボタン２６４、ＭＴ設定ボタン２６６、回転数設定ボタン２７０、オン圧設定ボタン２７２ａ、オフ圧設定ボタン２７２ｂ、保存ボタン２７４、初期化ボタン２７６およびメイン画面ボタン２７８は、操作部２４２の一例を構成している。
【００５５】
［エアコンプレッサ制御システム３００の動作例］  
図７は、エアコンプレッサ１００の運転モードとしてＭＴモードを設定する場合における、エアコンプレッサ制御システム３００の動作の一例を示すフローチャートである。なお、以下の例では、近距離無線方式としてＢｌｕｅｔｏｏｔｈを利用し、エアコンプレッサ１００と外部端末２００との間でのペアリングは完了しているものとする。
【００５６】
図７に示すように、ステップＳ１００において、エアコンプレッサ１００の制御部１５０は、ユーザーにより操作パネル１６０の電源ボタン１７８がオンされると、モータ１２０を駆動して圧縮機構を作動させることで、エアコンプレッサ１００の運転を開始する。
【００５７】
ステップＳ１１０において、外部端末２００の制御部２１０は、ユーザーにより予めインストールされているエアコンプレッサ１００用のアプリケーションが選択されると、選択されたアプリケーションを起動し、タッチパネル２４０の画面上にメイン画面を表示する。
【００５８】
ステップＳ１２０において、エアコンプレッサ１００の制御部１５０は、電圧検出部１３０から商用電源の電圧値を取得し、電流検出部１４０からモータ１２０の電流値を取得し、圧力検出部１９０からタンク１０４内の圧力値を取得する。この場合、操作パネル１６０のタッチパネル１８０の画面上に、モータ１２０の電流値等のエアコンプレッサ１００の圧縮機構における駆動時の運転情報（以下、エアコンプレッサ１００の運転情報という場合がある。）を表示させることができる。
【００５９】
ステップＳ１３０において、エアコンプレッサ１００の通信部１９２は、取得した商用電源の電圧値、モータ１２０の電流値、タンク１０４内の圧力値等に関するエアコンプレッサ１００の運転情報を外部端末２００に送信する。
【００６０】
ステップＳ１４０において、外部端末２００の制御部２１０は、通信部２８０により受信されたモータ１２０の電流値等のエアコンプレッサ１００の運転情報をメイン画面の対応する各項目欄に表示させる。このとき、ユーザーは、メイン画面のモータ１２０の電流値等のエアコンプレッサ１００の運転情報を確認し、作業内容、作業環境、機械耐久性に適合したモータ１２０の回転数等を設定したい場合、または、ユーザーの好みに応じたモータ１２０の回転数等を設定した場合、図５に示したメイン画面のＭＴ設定ボタン２６６を選択することができる。制御部２１０は、ＭＴ設定ボタン２６６が選択されると、メイン画面をＭＴ設定画面に切り替える。
【００６１】
ステップＳ１５０において、外部端末２００の制御部２１０は、タッチパネル２４０のＭＴ設定画面でモータ１２０の回転数やオン圧、オフ圧に関するＭＴモードの設定の変更情報が入力されると、入力された変更情報を取得し、取得した変更情報をユーザー固有のＭＴモードとして記憶部２３０に保存する。なお、ＭＴモードの変更情報は、エアコンプレッサ１００側のメモリに保存するようにしても良い。ユーザーは、設定したＭＴモードを実行したい場合、メイン画面ボタン２７８を選択する。制御部２１０は、メイン画面ボタン２７８が選択されると、ＭＴ設定画面からメイン画面に切り替える。
【００６２】
ステップＳ１６０において、外部端末２００の制御部２１０は、ユーザーによりメイン画面でＭＴモードボタン２６０が選択されると、エアコンプレッサ１００の運転モードを切り替えるためのモード切替情報（変更情報）を生成する。モード切替情報には、ＭＴモード、モータ１２０の回転数、オン圧、オフ圧等の設定変更情報が含まれている。
【００６３】
ステップＳ１７０において、外部端末２００の通信部２８０は、モード切替情報をエアコンプレッサ１００に送信する。
【００６４】
ステップＳ１８０において、エアコンプレッサ１００の制御部１５０は、通信部１９２で受信されたモード切替情報に基づいて、エアコンプレッサ１００の運転モードをＭＴモードに切り替える。続けて、制御部１５０は、切り替えたＭＴモードのモータ１２０の回転数、オン圧、オフ圧等の設定変更情報に基づいてモータ１２０等の運転を開始する。本実施の形態では、このような処理を繰り返し実行する。
【００６５】
以上のように、本実施の形態によれば、外部端末２００のタッチパネル２４０のメイン画面やエアコンプレッサ１００の操作パネル１６０に、エアコンプレッサ１００のモータ１２０の電流値や回転数等の運転情報を表示するので、ユーザーはエアコンプレッサ１００の現在の動作状態を一目で把握、確認することができる。例えば、従来のエアコンプレッサでは、タンク１０４内の圧力の表示は、タンク１０４内に圧縮空気がどれだけ充填されているかを表しているに過ぎず、空気の消費量に見合った運転が行われているか、という事を把握することができない。また、静音モードを実行する場合、モータ１２０の回転数が低く、モータ１２０の音が静かなので、タンクの圧力値は表示されるものの、コンプレッサが正常に動作しているかを確認する手段がなかった。これに対し、本実施の形態によれば、ユーザーは、エアコンプレッサ１００の現在の動作状態をリアルタイムで視認して把握できるので、従来のように、モータの回転音や機械温度、圧力充填時間等の確認を行う作業が不要となり、圧縮機構等の本体１０２の運転音などに頼らなくても、作業に対して適切な運転モードが選択されているかを判断しやすくなる。また、例えば、パワーモードで運転している場合に、電圧の変動や機械の劣化等の要因によってタンク１０４内の空気の充填が変化することがあるが、本実施の形態によれば、エアコンプレッサ１００の運転情報を確認できるので、タンク１０４内の圧力変動等の原因がモータ１２０の駆動に関するものなのか、それ以外の要因であるのかを正確に特定することができる。
【００６６】
また、従来では、モータ１２０の回転数やオン圧、オフ圧はモード毎に固定されていたり、ＡＩ機能の学習によって自動で設定されるため、根太レス作業や、リフォーム作業、早朝や夕方等、使用環境によっては、固定のモードやＡＩモードだけでは作業現場に適合した機械動作が不十分な場合があった。また、例えば従来の静音モードは、モータの回転数を下げることで発生音を抑えていたが、その分エアの吐出量も低下するので、エアが不足することもあり、丁度良い吐出量・発生音のバランスで運転させることができなかった。これに対し、本実施の形態によれば、ユーザーが外部端末２００のメイン画面上やエアコンプレッサ１００の操作パネル１６０上で、エアコンプレッサ１００の圧縮機構の運転情報を細かく設定することができるので、騒音や電源事情を考慮すべき環境で作業する場合や、使用する工具や作業内容に合わせて効率的に作業を行いたい場合など、ユーザーの好みに応じたエアコンプレッサ１００の運転を実現することができる。
【００６７】
なお、本発明を実施の形態を用いて説明したが、本発明の技術的範囲は、上述した実施の形態に記載の範囲には限定されることはない。本発明の趣旨を逸脱しない範囲で、上述した実施の形態に、多様な変更または改良を加えることが可能である。
【００６８】
上述した実施の形態では、モータ１２０の電流値等のエアコンプレッサ１００の運転情報を表示したり、ＭＴモードにおけるモータ１２０の回転数やオン圧、オフ圧を設定したりするタッチパネル１８０をエアコンプレッサ１００の操作パネル１６０に設けた例について説明したが、これに限定されることはない。例えば、図３に示したエアコンプレッサ１００の操作パネル１６０にタッチパネル１８０を設けない構成とし、図５および図６に示した外部端末２００のタッチパネル２４０でのみエアコンプレッサ１００の運転情報を表示したり、ＭＴモードの運転条件の設定を変更できるようにしても良い。これにより、ユーザーは、エアコンプレッサ１００から離れた位置で作業を行っている場合でも、エアコンプレッサ１００の運転情報を外部端末２００により一目で確認することができる。また、ＭＴモードの設定を遠隔操作により変更することができる。
【００６９】
さらに、図３に示したように、エアコンプレッサ１００側のタッチパネル１８０でのみ、上述したエアコンプレッサ１００の運転情報を表示したり、ＭＴモードの運転条件の設定を変更できるように構成しても良い。これにより、ユーザーは、エアコンプレッサ１００の運転情報を一目で確認することができる。
【００７０】
また、例えば、本明細書において示した装置、システム、プログラムにおける動作、手順、ステップおよび段階等の各処理の実行順序は、前の処理の出力を後の処理で用いない限り、任意の順序で実現可能である。
【符号の説明】
【００７１】
１００  エアコンプレッサ
１０４  タンク
１１２  駆動部（圧縮機構）
１２０  モータ（圧縮機構）
１５０  制御部
１６０  操作パネル（表示部，操作部）
１６２  操作部
１６４  表示部
１８０  タッチパネル（表示部，操作部）
１９２  通信部
２００  外部端末
２４０  タッチパネル（表示部，操作部）
２４２  操作部
２４４  表示部
２８０  通信部
【図１】
2018168775.tif 000003
【図２】
2018168775.tif 000004
【図３】
2018168775.tif 000005
【図４】
2018168775.tif 000006
【図５】
2018168775.tif 000007
【図６】
2018168775.tif 000008
【図７】
2018168775.tif 000009